(57)【要約】  独立的に作動する二つの衣類処理ユニットを効果的に結合させる結合構造を有する衣類処理装置を提供する。  本発明による衣類処理装置は、上側壁、下側壁、左側壁、右側壁、後面壁及び前面壁を含む第１ケースと、上側壁、下側壁、左側壁、右側壁、後面壁及び前面壁を含む第２ケースと、前記第１ケース及び第２ケースの前面壁又は後面壁の少なくとも一つを横方向に結合させる横方向ブラケットと、前記第１ケース及び第２ケースの上側壁又は下側壁の少なくとも一つを前後方向に結合させる前後方向ブラケットと、前記第１ケース及び第２ケースの前面壁又は後面壁の少なくとも一つを上下方向に結合させる上下方向ブラケットとを含む。横方向ブラケット、前後方向ブラケット又は上下方向ブラケットの少なくとも二つが前記第１ケース及び第２ケースの少なくとも２面を固定させることで、外力に対する剛性を増加させ、振動発生時に隣接したケースに振動が伝達されることを抑制することができる利点がある。【選択図】  図５
2019520147.tif 000002
【特許請求の範囲】
【請求項１】
衣類処理装置であって、
第１ケースを備えた第１衣類処理ユニットと、
第２ケースを備えた第２衣類処理ユニットと、
前記第１ケース及び第２ケースの少なくとも２面を固定するユニオンアセンブリーとを備えてなる、衣類処理装置。
【請求項２】
前記ユニオンアセンブリーは、
前記第１ケース及び第２ケースを横方向に結合させる横方向ブラケットと、
前記第１ケース及び第２ケースを前後方向に結合させる前後方向ブラケットと、
前記第１ケース及び第２ケースを上下方向に結合させる上下方向ブラケットとを備えてなり、
前記横方向ブラケット、前後方向ブラケット又は上下方向ブラケットの少なくとも二つが前記第１ケース及び第２ケースの少なくとも２面を固定する、請求項１に記載の衣類処理装置。
【請求項３】
前記第１ケース及び第２ケースの間に配置され、前記第１ケース及び第２ケースを所定間隔で離隔させるギャップ部材をさらに備えてなる、請求項２に記載の衣類処理装置。
【請求項４】
前記第１ケース及び第２ケースは、
前記横方向ブラケット、前後方向ブラケット又は上下方向ブラケットの少なくとも一つが挿入される取付溝が形成され、
前記横方向ブラケット、前後方向ブラケット又は上下方向ブラケットの少なくとも一つは前記取付溝に挿入された後、締結部材によって固定締結される、請求項２に記載の衣類処理装置。
【請求項５】
前記取付溝に結合されて前記取付溝をカバーするブラケットカバーをさらに備えてなる、請求項４に記載の衣類処理装置。
【請求項６】
上側壁、下側壁、左側壁、右側壁、後面壁及び前面壁を備えた第１ケースと、
上側壁、下側壁、左側壁、右側壁、後面壁及び前面壁を備えた第２ケースと、
前記第１ケース及び第２ケースの前面壁又は後面壁の少なくとも一つを横方向に結合させる横方向ブラケットと、
前記第１ケース及び第２ケースの上側壁又は下側壁の少なくとも一つを前後方向に結合させる前後方向ブラケットと、
前記第１ケース及び第２ケースの前面壁又は後面壁の少なくとも一つを上下方向に結合させる上下方向ブラケットとを備える、衣類処理装置。
【請求項７】
前記横方向ブラケットは前記前面壁を結合させ、前記前後方向ブラケットは前記上側壁を結合させ、前記上下方向ブラケットは前記後面壁を結合させる、請求項６に記載の衣類処理装置。
【請求項８】
前記第１ケース及び第２ケースの間に配置され、前記第１ケース及び第２ケースを所定間隔で離隔させるギャップ部材をさらに備える、請求項６に記載の衣類処理装置。
【請求項９】
前記第１ケースの前面壁及び前記第２ケースの前面壁にそれぞれ形成される横方向取付溝をさらに備えてなり、
前記横方向ブラケットは前記横方向取付溝に挿入されて取り付けられる、請求項６に記載の衣類処理装置。
【請求項１０】
前記横方向取付溝に結合され、前記横方向取付溝をカバーして前記横方向ブラケットを隠匿するブラケットカバーをさらに備えてなる、請求項９に記載の衣類処理装置。
【請求項１１】
前記第１ケースの内部を処理チャンバー及びサイクルチャンバーに区画する上下分離板をさらに備えてなり、
前記上下方向ブラケットは前記上下分離板の後方に配置される、請求項６に記載の衣類処理装置。
【請求項１２】
前記第１ケース及び第２ケースの下側に配置されて荷重を支持するそれぞれのレッグをさらに備えてなり、前記横方向ブラケットは前記レッグの上側に配置される、請求項６に記載の衣類処理装置。
【請求項１３】
前記第１ケースの内部を処理チャンバー及びサイクルチャンバーに区画する上下分離板と、
前記第２ケースの内部を処理チャンバー及びサイクルチャンバーに区画する上下分離板とをさらに備え、
前記横方向ブラケットは、前記第１ケースのサイクルチャンバー及び前記第２ケースのサイクルチャンバーの前方に配置される、請求項６に記載の衣類処理装置。
【請求項１４】
前記第１ケースは前記前面壁の一部を構成する第１装飾フレームをさらに備え、
前記第２ケースは前記前面壁の一部を構成する第２装飾フレームをさらに備え、
前記第１装飾フレーム及び第２装飾フレームにそれぞれ前記横方向取付溝が形成される、請求項９に記載の衣類処理装置。
【請求項１５】
前記第１装飾フレームは、前記第１ケースのドアヒンジが取り付けられるヒンジ取付溝及び前記横方向ブラケットが取り付けられる前記横方向取付溝を備え、
前記第２装飾フレームは、前記第２ケースのドアヒンジが取り付けられるヒンジ取付溝及び前記横方向ブラケットが取り付けられる前記横方向取付溝を備え、
前記第１ケースのヒンジ取付溝及び第２ケースのヒンジ取付溝は外側に配置され、前記第１ケースの横方向取付溝及び第２ケースの横方向取付溝は内側に配置される、請求項１４に記載の衣類処理装置。
【請求項１６】
前記第１装飾フレームは、前記第１ケースのドアヒンジが取り付けられるヒンジ取付溝及び前記横方向ブラケットが取り付けられる前記横方向取付溝を備え、
前記第１装飾フレームの前記ヒンジ取付溝及び横方向取付溝は垂直方向を基準に対称状になるように形成される、請求項１４に記載の衣類処理装置。
【発明の詳細な説明】
【技術分野】
【０００１】
本発明は衣類処理装置に関し、より詳しくは二つのドアを備えた衣類処理装置に関する。
【背景技術】
【０００２】
衣類処理装置は家庭内又はランドリーなどで衣類の洗濯、乾燥、しわ除去などのように衣類を管理するか処理するための全ての装置を意味する。例えば、衣類処理装置は、衣類の洗濯のための洗濯機、衣類の乾燥のための乾燥機、洗濯機能及び乾燥機能を兼ねる洗濯機兼用乾燥機、衣類のリフレッシュのためのリフレッシャー（Ｒｅｆｒｅｓｈｅｒ）、衣類の不必要なしわを除去するスチーマー（Ｓｔｅａｍｅｒ）などがある。
【０００３】
リフレッシャーは、より具体的に、衣類をより快適で新鮮にするための装置であり、衣類を乾燥させるとか、衣類に香を付与するとか、衣類の静電気発生を防止するとか、衣類のしわを除去するとかなどの機能を果たす。スチーマーは一般的に単純に衣類にスチームを供給して衣類のしわを除去する装置であり、一般的なアイロンとは違い、衣類に熱板が接しないので、繊細に衣類のしわを除去する。
【０００４】
このようなリフレッシャーとスチーマーの機能を一緒に備えた衣類処理装置は、スチーム及び熱風を用いて内部に収納された衣類のしわ及び匂い除去などの機能を果たすことができる。このような機能により、衣類処理装置に収納された衣類はその衣類を汚染させた匂い粒子が除去されるか、しわが除去されることによってアイロンがけ効果を得ることができる。
【発明の概要】
【発明が解決しようとする課題】
【０００５】
本発明が解決しようとする課題は、独立的に作動する二つの衣類処理ユニットを効果的に結合させる結合構造を提供することである。
【０００６】
本発明の課題は以上で言及した課題に限られず、言及しなかった他の課題は下記の記載から当業者に明らかに理解可能であろう。
【課題を解決するための手段】
【０００７】
前記課題を達成するために、本発明による衣類処理装置は、第１ケースを含む第１衣類処理ユニットと、第２ケースを含む第２衣類処理ユニットと、前記第１ケース及び第２ケースの少なくとも２面を固定するユニオンアセンブリーとを含む（備える）。
【０００８】
前記ユニオンアセンブリーは、前記第１ケース及び第２ケースを横方向に結合させる横方向ブラケットと、前記第１ケース及び第２ケースを前後方向に結合させる前後方向ブラケットと、前記第１ケース及び第２ケースを上下方向に結合させる上下方向ブラケットとを含むことができ、前記横方向ブラケット、前後方向ブラケット又は上下方向ブラケットの少なくとも二つが前記第１ケース及び第２ケースの少なくとも２面を固定することができる。
【０００９】
前記第１ケース及び第２ケースの間に配置され、前記第１ケース及び第２ケースを所定間隔で離隔させるギャップ部材をさらに含むことができる。
【００１０】
前記第１ケース及び第２ケースは、前記横方向ブラケット、前後方向ブラケット又は上下方向ブラケットの少なくとも一つが挿入される取付溝が形成されることができ、前記横方向ブラケット、前後方向ブラケット又は上下方向ブラケットの少なくとも一つは前記取付溝に挿入された後、締結部材によって固定締結されることができる。
【００１１】
前記取付溝に結合されて前記取付溝をカバーするブラケットカバーをさらに含むことができる。
【００１２】
本発明による衣類処理装置は、上側壁、下側壁、左側壁、右側壁、後面壁及び前面壁を含む第１ケースと、上側壁、下側壁、左側壁、右側壁、後面壁及び前面壁を含む第２ケースと、前記第１ケース及び第２ケースの前面壁又は後面壁の少なくとも一つを横方向に結合させる横方向ブラケットと、前記第１ケース及び第２ケースの上側壁又は下側壁の少なくとも一つを前後方向に結合させる前後方向ブラケットと、前記第１ケース及び第２ケースの前面壁又は後面壁の少なくとも一つを上下方向に結合させる上下方向ブラケットとを含む。
【００１３】
前記横方向ブラケットは前記前面壁を結合させ、前記前後方向ブラケットは前記上側壁を結合させ、前記上下方向ブラケットは前記後面壁を結合させることができる。
【００１４】
前記第１ケース及び第２ケースの間に配置され、前記第１ケース及び第２ケースを所定間隔で離隔させるギャップ部材をさらに含むことができる。
【００１５】
前記第１ケースの前面壁及び前記第２ケースの前面壁にそれぞれ形成される横方向取付溝をさらに含むことができ、前記横方向ブラケットは前記横方向取付溝に挿入されて取り付けられることができる。
【００１６】
前記横方向取付溝に結合され、前記横方向取付溝をカバーして前記横方向ブラケットを隠匿するブラケットカバーをさらに含むことができる。
【００１７】
前記第１ケースの内部を処理チャンバー及びサイクルチャンバーに区画する上下分離板をさらに含むことができ、前記上下方向ブラケットは前記上下分離板の後方に配置されることができる。
【００１８】
前記第１ケース及び第２ケースの下側に配置されて荷重を支持するそれぞれのレッグをさらに含むことができ、前記横方向ブラケットは前記レッグの上側に配置されることができる。
【００１９】
前記第１ケースの内部を処理チャンバー及びサイクルチャンバーに区画する上下分離板と、前記第２ケースの内部を処理チャンバー及びサイクルチャンバーに区画する上下分離板とをさらに含むことができ、前記横方向ブラケットは、前記第１ケースのサイクルチャンバー及び前記第２ケースのサイクルチャンバーの前方に配置されることができる。
【００２０】
前記第１ケースは前記前面壁の一部を構成する第１装飾フレームをさらに含むことができ、前記第２ケースは前記前面壁の一部を構成する第２装飾フレームをさらに含むことができ、前記第１装飾フレーム及び第２装飾フレームにそれぞれ前記横方向取付溝が形成されることができる。
【００２１】
前記第１装飾フレームは、前記第１ケースのドアヒンジが取り付けられるヒンジ取付溝及び前記横方向ブラケットが取り付けられる前記横方向取付溝を含むことができ、前記第２装飾フレームは、前記第２ケースのドアヒンジが取り付けられるヒンジ取付溝及び前記横方向ブラケットが取り付けられる前記横方向取付溝を含むことができ、前記第１ケースのヒンジ取付溝及び第２ケースのヒンジ取付溝は外側に配置され、前記第１ケースの横方向取付溝及び第２ケースの横方向取付溝は内側に配置されることができる。
【００２２】
前記第１装飾フレームは、前記第１ケースのドアヒンジが取り付けられるヒンジ取付溝及び前記横方向ブラケットが取り付けられる前記横方向取付溝を含むことができ、前記第１装飾フレームの前記ヒンジ取付溝及び横方向取付溝は垂直方向を基準に対称状になるように形成されることができる。
【発明の効果】
【００２３】
本発明による衣類処理装置は次のような効果の一つ又はそれ以上を有する。
【００２４】
第一、横方向ブラケット、前後方向ブラケット又は上下方向ブラケットの少なくとも二つが前記第１ケース及び第２ケースの少なくとも２面を固定することで、外力に対する剛性を増加させ、振動発生時に隣接したケースに振動が伝達されることを抑制することができる利点がある。
【００２５】
第二、振動が主に発生するサイクルチャンバーの前方に横方向ブラケットが取り付けられ、後方に上下方向ブラケットが取り付けられるので、振動を効果的に抑制することができる利点がある。
【００２６】
第三、第１ケース及び第２ケースに対して、横方向ブラケットは横方向に取り付けられ、前後方向ブラケットは前後方向に取り付けられ、上下方向ブラケットは上下方向に取り付けられるので、第１ケース及び第２ケースを横方向、前後方向及び上下方向にそれぞれ固定することができ、これによりどの方向に振動又は外力が加わっても効果的に支持又は抑制することができる利点がある。
【００２７】
第四、第１ケース及び第２ケースの各前面壁に横方向取付溝を形成した後、横方向ブラケットを取り付け、横方向取付溝にブラケットカバーを取り付けることにより、横方向ブラケットが使用者に露出されることを防止する利点がある。
【００２８】
第五、ギャップ部材によって第１ケース及び第２ケースを互いに所定間隔で離隔させることができ、ドアが開けられるとき、隣接した衣類処理ユニットと干渉することを防止する利点がある。
【００２９】
第六、ギャップ部材によって第１ケース及び第２ケースを離隔させるので、いずれか一つのケースで発生した振動が隣接したケースに伝達されることを抑制する利点がある。
【００３０】
本発明の効果は以上で言及した効果に限られず、言及しなかった他の効果は請求範囲の記載から当業者に明らかに理解可能であろう。
【図面の簡単な説明】
【００３１】
【図１】本発明の一実施例による衣類処理装置の斜視図である。
【図２】図１に示した衣類処理装置の一部構成の斜視図である。
【図３】図１に示した衣類処理装置の一部構成の分解斜視図である。
【図４】図１に示した衣類処理装置のブロック図である。
【図５】本発明の第１実施例による衣類処理装置のユニオンアセンブリーを示した例示図である。
【図６】図５に示した横方向ブラケットの設置状態を示した斜視図である。
【図７】図６に示した横方向ブラケットの設置状態を示した正面図である。
【図８】図５に示したブラケットカバーの設置状態を示した斜視図である。
【図９】図５に示したブラケットカバーの設置状態を示した正面図である。
【図１０】図５に示した前後方向ブラケットを示した斜視図である。
【図１１】図９に示した前後方向ブラケットの設置状態を示した平面図である。
【図１２】図５に示した上下方向ブラケットを示した背面図である。
【図１３】図５に示した上側ドアヒンジが分解された状態を示した分解斜視図である。
【図１４】図５に示した下側ドアヒンジが分解された状態を示した分解斜視図である。
【発明を実施するための形態】
【００３２】
本発明の利点及び特徴、そしてそれらを達成する方法は添付図面に基づいて詳細に後述する実施例を参照すると明らかになるであろう。しかし、本発明は以下で開示する実施例に限定されるものではなく、互いに違う多様な形態に具現されることができる。ただ、この実施例は本発明の開示を完全にし、本発明が属する技術分野で通常の知識を有する者に発明の範疇を完全に知らせるために提供するものであり、本発明は請求項の範疇によって定義されるだけである。明細書全般にわたって同じ参照符号は同じ構成要素を指す。
【００３３】
以下、本発明の実施例による衣類処理装置を示す図面を参考して本発明について説明する。
【００３４】
図１は本発明の一実施例による衣類処理装置の斜視図、図２は図１に示した衣類処理装置の一部構成の斜視図、図３は図１に示した衣類処理装置の一部構成の分解斜視図、図４は図１に示した衣類処理装置のブロック図である。
【００３５】
本発明の一実施例による衣類処理装置は、複数の衣類処理ユニット１、２からなることができる。各衣類処理ユニット１、２は独立的に作動することができる。よって、前記それぞれの衣類処理ユニット１、２は、ケース１１０、ドア２０、スチームユニット４０、送風ユニット３０、ヒートポンプユニット５０、ムービングハンガー１００及び制御ユニット６０を含む。
【００３６】
前記それぞれのケース１１０にドア２０が備えられ、各ドア２０の開放方向は互いに違う。すなわち、左側に配置されたケース１１０のドア２０は左側に開放され、右側に配置されたケース１１０のドア２０は右側に開放される。
【００３７】
左側に配置された衣類処理装置を第１衣類処理ユニット１と定義し、右側に配置された衣類処理装置を第２衣類処理ユニット２と定義する。
【００３８】
前記第１衣類処理ユニット１及び第２衣類処理ユニット２はそれぞれ独立的に駆動することができる。例えば、第１衣類処理ユニット１の制御ユニット６０と第２衣類処理ユニット２の制御ユニット６０はそれぞれ独立的なコースを遂行することができる。
【００３９】
特に、第１衣類処理ユニット１は一般的な衣類を処理するためのコースを備え、第２衣類処理ユニット２は特殊な衣類を処理するためのコースを備えることができる。
【００４０】
例えば、第１衣類処理ユニット１は、ウール、ニット、スーツ、コートなどの日常的な衣類を処理するためのコースを備えることができ、第２衣類処理ユニット２は、ユニフォーム、制服、ジーパン、パッデングなどの機能性衣類を処理するためのコースを備えることができる。
【００４１】
本実施例による第１衣類処理ユニット１及び第２衣類処理ユニット２の構成が同一であるので、以下の説明では区分なしに衣類処理ユニットとして説明する。
【００４２】
本実施例による衣類処理ユニットは、処理チャンバー１２及びサイクルチャンバー１４を備えたケース１１０と、前記ケース１１０に組み立てられ、前記処理チャンバー１２を開閉させるドア２０と、前記処理チャンバー１２にスチームを供給するスチームユニット４０と、前記処理チャンバー１２の空気を循環させる送風ユニット３０と、前記処理チャンバー１２の空気を空気調和させるヒートポンプユニット５０と、前記処理チャンバー１２に配置され、衣類が掛けられ、掛けられた衣類に振動を提供するムービングハンガー１００と、スチームユニット４０、送風ユニット３０、ヒートポンプユニット５０又はムービングハンガー１００を制御する制御ユニット６０とを含む。
【００４３】
ケース１１０は内部を上下方向に区画する上下分離板１１を備える。前記上下分離板１１の上側に前記処理チャンバー１２が形成され、下側に前記サイクルチャンバー１４が形成される。そして、前記処理チャンバー１２の下側を区画する前後分離板１３を備え、前記前後分離板１３は前記サイクルチャンバー１４を形成する。
【００４４】
本実施例で、前記ケース１１０及び前後分離板１３の間に前記サイクルチャンバー１４が形成される。前記前後分離板の前方に給水タンク８０及びドレインタンク９０が配置される。
【００４５】
前記前後分離板１３の前方に前記給水タンク８０及びドレインタンク９０が脱着されるタンク設置空間１６が形成される。
【００４６】
本実施例で、前記ドア２０は前記処理チャンバー１２及びタンク設置空間１６を同時に開閉させる。本実施例とは違い、前記ドア２０が処理チャンバー１２のみを開閉させるように構成されることができる。
【００４７】
処理チャンバー１２には衣類が掛けられ、スチーム又は空気循環、乾燥などによって衣類のしわを除去するか匂いを脱臭する。
【００４８】
サイクルチャンバー１４には、処理チャンバー１２内の空気を吸入して循環させる送風ユニット３０と、処理チャンバー１２にスチームを供給するスチームユニット４０と、処理チャンバー１２に加熱された空気を供給するヒートポンプユニット５０と、各ユニット３０、４０、５０を制御する制御ユニット６０とが取り付けられる。
【００４９】
送風ユニット３０は、制御ユニット６０の制御によって処理チャンバー１２内の空気を吸入する。送風ユニット３０に吸入された空気はヒートポンプユニット５０に吐き出される。
【００５０】
送風ユニット３０は、ファンの回転によって処理チャンバー１２内の空気を吸入してからヒートポンプユニット５０に吐き出す送風ファンモジュール３２と、送風ファンモジュール３２の吸入側に取り付けられ、処理チャンバー１２内の空気を送風ファンモジュール３２に案内するインレットダクト３４とを含む。
【００５１】
インレットダクト３４の一側は処理チャンバー１２と連結され、他側は送風ファンモジュール３２と連結される。インレットダクト３４の内部にはインレットダクト３４の内部を流動する空気の温度値であるインレット温度を測定するインレット温度センサー３９が備えられる。インレット温度センサー３９は、処理チャンバー１２からインレットダクト３４内に吸入される空気の温度値であるインレット温度を測定して制御ユニット６０に伝達する。
【００５２】
送風ファンモジュール３２の一側はインレットダクト３４と連結され、他側はヒートポンプユニット５０と連結される。送風ファンモジュール３２はシロッコファン（ｓｉｒｏｃｃｏ  ｆａｎ）、ダクト及びモーターが単一モジュールに形成される。
【００５３】
スチームユニット４０は制御ユニット６０の制御によって処理チャンバー１２にスチームを供給する。スチームユニット４０は印加された電力によって発熱し、給水タンク８０から受けた水を加熱してスチームを生成させる。
【００５４】
スチームユニット４０で発生したスチームは処理チャンバー１２に吐き出される。本実施例で、スチームユニット４０で発生したスチームがヒートポンプユニット５０の流路を通して処理チャンバー１２に流動する。スチームユニット４０はヒートポンプユニット５０と連結されることが好ましい。
【００５５】
本実施例とは違い、前記スチームユニット４０の流路及びヒートポンプユニット５０の流路が別個に構成されることができる。
【００５６】
スチームユニット４０は水を加熱する加熱器４１を含む。制御ユニット６０の制御によって、スチームユニット４０は加熱器４１を先に加熱する予熱を遂行した後、スチームを発生させる。
【００５７】
制御ユニット６０の制御によって、ヒートポンプユニット５０は送風ユニット３０が吸入した空気を加熱して処理チャンバー１２内に吐き出す。ヒートポンプユニット５０は加熱された空気を処理チャンバー１２に供給する。
【００５８】
ヒートポンプユニット５０は、圧縮機５１、凝縮器５３、蒸発器（図示せず）及び膨脹バルブ（図示せず）を含む冷凍サイクルから構成される。前記ヒートポンプユニット５０はヒートポンプハウジング５５を含み、前記ヒートポンプハウジング５５の内部に凝縮器５３が配置される。前記ヒートポンプハウジング５５は、空気を前記処理チャンバー１２に案内するヒートポンプ流路を含む。
【００５９】
前記ヒーターポンプ流路は前記ヒートポンプハウジング５５の内部に形成される。
【００６０】
ヒートポンプハウジング５５の一側は送風ファンモジュール３２と連結され、他側は処理チャンバー１２と連結される。
【００６１】
圧縮機５１は冷媒を圧縮して高温高圧の状態にする。前記圧縮機５１で圧縮された冷媒は凝縮器５３で空気と熱交換する。前記凝縮器５３を通過する冷媒は凝縮し、膨脹バルブで膨脹した後、蒸発器で蒸発する。
【００６２】
前記凝縮器５３は送風ユニット３０に吸入された空気と熱交換し、前記冷媒の凝縮過程で発生した凝縮熱が空気中に放出される。よって、前記送風ユニット３０に吸入された空気は前記凝縮器５３を通過する過程で加熱される。
【００６３】
サイクルチャンバー１４の前方に前記前後分離板１３が配置され、前記前後分離板１３によってタンク設置空間１６が形成される。
【００６４】
前記タンク設置空間１６にタンクモジュール７０が設置される。本実施例では、前記インレットダクト３４の前方側に前記前後分離板１３が配置され、前記タンク設置空間１６が形成される。
【００６５】
タンクモジュール７０は、スチームユニット４０に水を供給する給水タンク８０と、前記ヒートポンプユニット５０又は処理チャンバー１２の少なくともいずれか一つで生成した凝縮水を集めて保存するドレインタンク９０とを含む。
【００６６】
給水タンク８０はスチームユニット４０と連結されて水を供給し、ドレインタンク９０は処理チャンバー１２又はヒートポンプユニット５０で凝縮した水を保存する。
【００６７】
制御ユニット６０はインレット温度センサー３９からインレット温度を受ける。制御ユニット６０は使用者の設定又はインレット温度によってスチームユニット４０、送風ユニット３０及びヒートポンプユニット５０を制御して、衣類処理装置で衣類が処理される各行程を設定のコースに従って遂行する。
【００６８】
制御ユニット６０はスチームユニット４０を予熱する過程で送風ユニット３０を作動させることができる。前記制御ユニット６０はインレット温度センサー３９が測定した予熱インレット温度に基づいてヒートポンプユニット５０の作動を制御することができる。
【００６９】
制御ユニット６０は予熱インレット温度によってヒートポンプユニット５０をそれぞれ別に制御することができる。
【００７０】
予熱インレット温度が既設定の基準インレット温度より高いか同じ場合、基準インレット温度より低い場合より徐々に加熱するようにヒートポンプユニット５０を制御することができる。
【００７１】
すなわち、制御ユニット６０は、予熱インレット温度が基準インレット温度より低い場合、圧縮機５１を既設定の第１運転速度で駆動させ、予熱インレット温度が基準インレット温度より高いか同じ場合、圧縮機５１を第１運転速度より低い既設定の第２運転速度で駆動させることができる。
【００７２】
制御ユニット６０は、インレット温度センサー３９が測定した乾燥インレット温度を予熱インレット温度と比較してヒートポンプユニット５０を制御することができる。すなわち、制御ユニット６０は乾燥インレット温度と予熱インレット温度の差によってヒートポンプユニット５０の駆動を中止する。前記乾燥インレット温度は乾燥時にインレット温度センサー３９で測定された温度を意味する。前記予熱インレット温度は予熱時にインレット温度センサー３９で測定された温度を意味する。
【００７３】
図５は本発明の第１実施例による衣類処理装置のユニオンアセンブリーを示した例示図、図６は図５に示した横方向ブラケットの設置状態を示した斜視図、図７は図６に示した横方向ブラケットの設置状態を示した正面図、図８は図５に示したブラケットカバーの設置状態を示した斜視図、図９は図５に示したブラケットカバーの設置状態を示した正面図、図１０は図５に示した前後方向ブラケットを示した斜視図、図１１は図９に示した前後方向ブラケットの設置状態を示した平面図、図１２は図５に示した上下方向ブラケットを示した背面図である。
【００７４】
前記ケース１１０は前面が開口するように形成される。前記開口した前面は前記ドア２０によって開閉される。
【００７５】
前記ケース１１０は、上側壁１１１、下側壁１１２、左側壁１１３、右側壁１１４、後面壁１１５及び前面壁１１６を含む。前記上下分離板１１は前記左側壁１１３、右側壁１１４、後面壁１１５及び前面壁１１６に連結されて前記ケース１１０の内部を上下に区画する。
【００７６】
前記前面壁１１６は処理チャンバー１２をなす前面が開口するように形成される。前記前面壁１１６はタンク設置空間１６をなす前面が開口するように形成される。
【００７７】
前記上下分離板１１の上側には処理チャンバー１２が形成される。
【００７８】
前記前後分離板１３は前記上下分離板１１及び下側壁１１２に連結され、前記上下分離板１１の下側空間をサイクルチャンバー１４及びタンク設置空間１６に区画する。前記前後分離板１３の前方には前記タンク設置空間１６が形成され、後方には前記サイクルチャンバー１４が形成される。
【００７９】
左側に配置される第１衣類処理ユニット１の場合、ドア２０が左側に開放するように配置される。右側に配置される第２衣類処理ユニット２の場合、ドア２０が右側に開放するように配置される。
【００８０】
それで、本実施例による衣類処理装置は左手及び右手で二つのドア２０を両側に開けることができる。
【００８１】
独立的に構成される第１衣類処理ユニット１及び第２衣類処理ユニット２を結合させるために、本実施例による衣類処理装置はユニオンアセンブリー１２０をさらに含む。
【００８２】
前記ユニオンアセンブリー１２０は第１衣類処理ユニット１及び第２衣類処理ユニット２の各ケース１１０を結合させるためのものである。説明の便宜上、第１衣類処理ユニット１のケースを第１ケース１２１と定義し、第２衣類処理ユニット２のケースを第２ケース１２２と定義する。
【００８３】
前記ユニオンアセンブリー１２０は、前記第１ケース１２１及び第２ケース１２２を横方向に結合させる横方向ブラケット１３０と、前記第１ケース１２１及び第２ケース１２２を縦方向に結合させる前後方向ブラケット１４０と、前記第１ケース１２１及び第２ケース１２２を上下方向に結合させる上下方向ブラケット１５０と、前記第１ケース１２１及び第２ケース１２２の間に挟まれ、前記第１ケース１２１及び第２ケース１２２を所定間隔で離隔させるギャップ部材１６０と、前記第１ケース１２１及び第２ケース１２２に結合され、前記横方向ブラケット１３０をカバーするブラケットカバー１７０とを含む。
【００８４】
前記ユニオンアセンブリー１２０を介して第１ケース１２１及び第２ケース１２２を結合させるが、衣類処理装置の位置を変更するか引っ越しする場合、前記ユニオンアセンブリー１２０を解体した後、第１衣類処理ユニット１及び第２衣類処理ユニット２をそれぞれ移すことが好ましい。
【００８５】
ユニオンアセンブリー１２０が結合された状態で衣類処理装置を移す場合、横方向ブラケット１３０、前後方向ブラケット１４０又は上下方向ブラケット１５０で撓み変形が発生し得る。特に、荷重が集中する場合、ケースが破損することがある。
【００８６】
前記ギャップ部材１６０は第１ケース１２１及び第２ケース１２２の間に配置される。前記ギャップ部材１６０は第１ケース１２１及び第２ケース１２２間の隙間を補償することができる。底が平たくないなどの理由で前記第１ケース１２１又は第２ケース１２２が傾く場合、前記上側の間隔と下側の間隔が違うことがある。前記ギャップ部材１６０はこれを補償することができる。
【００８７】
また、前記ギャップ部材１６０は第１ケース１２１及び第２ケース１２２の接触によって発生するケースの損傷を抑制することができる。第１衣類処理ユニット１及び第２衣類処理ユニット２を分離して独立空間で使うこともあるから、結合時に第１及び第２ケース１２１、１２２の表面に生ずる傷を防止することができる。
【００８８】
前記ギャップ部材１６０は弾性素材から形成されることが好ましく、表面が広いシート状に製作されることができる。
【００８９】
前記ギャップ部材１６０は前記第１ケース１２１及び第２ケース１２２の上側及び下側にそれぞれ配置される。
【００９０】
前記ギャップ部材１６０は表面の摩擦力が高い素材であるかあるいは表面に接着成分が塗布されることができる。
【００９１】
前記ギャップ部材１６０を取り付けるとき、位置を固定する別途の部品を使わず、素材の摩擦力又は表面に塗布された接着成分によって第１ケース１２１及び第２ケース１２２に付着することが好ましい。
【００９２】
前記ギャップ部材１６０は第１ケース１２１及び第２ケース１２２を横方向に所定間隔で離隔させる。前記ギャップ部材１６０による第１ケース１２１及び第２ケース１２２の離隔によってドア２０の開閉時に干渉を防止することができる。
【００９３】
両側に開放するドア２０の構造上、密着した状態で二つのドア２０が同時に開放すれば互いに干渉することがある。前記ギャップ部材１６０は第１ケース１２１及び第２ケース１２２を離隔させて各ドア２０の回転半径を確保することができる。
【００９４】
前記横方向ブラケット１３０は前記第１ケース１２１及び第２ケース１２２に対して横方向に配置された後に締結される。前記横方向ブラケット１３０は左右方向に配置される。
【００９５】
前記横方向ブラケット１３０は、第１ケース１２１及び第２ケース１２２に対して前面、上面、後面の少なくともいずれか一つに配置されることができる。
【００９６】
前記横方向ブラケット１３０は前記第１ケース１２１及び第２ケース１２２の前面壁１１６を連結するように取り付けられることができる。前記横方向ブラケット１３０は前記第１ケース１２１及び第２ケース１２２の上側壁１１１を連結するように取り付けられることができる。前記横方向ブラケット１３０は前記第１ケース１２１及び第２ケース１２２の後面壁１１５を連結するように取り付けられることができる。
【００９７】
本実施例で、前記横方向ブラケット１３０は前記第１ケース１２１及び第２ケース１２２の前面に配置され、前記前面壁１１６を連結するように取り付けられる。
【００９８】
前記横方向ブラケット１３０を取り付けるために、前記第１ケース１２１及び第２ケース１２２にはそれぞれ横方向取付溝１３１、１３２が形成される。本実施例で、前記横方向取付溝１３１、１３２は第１ケース１２１及び第２ケース１２２の前面下側に配置される。
【００９９】
説明の便宜上、第１ケースに設けられた横方向取付溝を第１横方向取付溝１３１と定義し、第２ケースに設けられた横方向取付溝を第２横方向取付溝１３２と定義する。
【０１００】
前記横方向ブラケット１３０は各ケース１２１、１２２を支持するレッグ１１５の上側に位置することが好ましい。第１ケース１２１又は第２ケース１２２に外力が加わるとき、発生した外力はレッグ１１５に支持される。前記レッグ１１５の上側を連結して固定する場合、前記第１ケース１２１及び第２ケース１２２の剛性を効果的に増加させることができる。
【０１０１】
前記第１横方向取付溝１３１の下側に第１ケース１２１のレッグ１１５が配置され、前記第２横方向取付溝１３２の下側に前記第２ケース１２２のレッグ１１５が配置される。
【０１０２】
前記横方向ブラケット１３０は横方向取付溝１３１、１３２に挿入された後、ボルト又はネジなどの締結手段によって固定締結される。
【０１０３】
前記横方向ブラケット１３０は、第１横方向取付溝１３１に挿入され、前記第１ケース１２１に固定される第１横方向固定部１３４と、前記第２横方向取付溝１３２に挿入され、前記第２ケース１２２に固定される第２横方向固定部１３５と、前記第１横方向固定部１３４及び第２横方向固定部１３５を連結する横方向連結部１３６とを含む。
【０１０４】
前記横方向連結部１３６の後方側にギャップ部材１６０が配置される。
【０１０５】
前記第１横方向固定部１３４は少なくとも二つの締結部材を介して固定されることが好ましい。前記第２横方向固定部１３５は少なくとも二つの締結部材を介して固定されることが好ましい。
【０１０６】
前記横方向連結部１３６は前記第１横方向固定部１３４及び第２横方向固定部１３５より前方に突出するように形成される。前記横方向連結部１３６は緩やかな曲線形に形成される。本実施例とは違い、前記横方向連結部１３６は折曲形に形成されることができる。
【０１０７】
前記横方向ブラケット１３０は第１ケース１２１及び第２ケース１２２の前面に配置され、ドア２０を開けたときに使用者に露出される。これを隠すために、前記ブラケットカバー１７０が取り付けられる。
【０１０８】
前記ブラケットカバー１７０は前記横方向取付溝１３１、１３２に挿入される。
【０１０９】
前記ブラケットカバー１７０は締結部材によって固定されないことが好ましい。本実施例で、前記ブラケットカバー１７０は挿合又は係合されることが好ましい。前記ブラケットカバー１７０は前記横方向ブラケット１３０を隠匿する。
【０１１０】
前記ブラケットカバー１７０によって前記横方向ブラケット１３０が隠匿されるから、ドア２０を開放した状態で使用者が衣類処理装置の正面を見てもユニオンアセンブリー１２０を認知することができない。前記ブラケットカバー１７０によって前記横方向ブラケット１３０が隠匿されるから、前記第１ケース１２１及び第２ケース１２２はまるで単一ケースのように認識できる。
【０１１１】
本実施例で、前記横方向ブラケット１３０は一つのみ取り付けられる。本実施例とは違い、複数の横方向ブラケット１３０が取り付けられることができる。例えば、第１ケース１２１及び第２ケース１２２の上側及び下側にそれぞれ横方向ブラケット１３０が取り付けられることができる。
【０１１２】
本実施例で、上側に横方向ブラケット１３０を取り付ける代わりに、前後方向ブラケット１４０を取り付ける。
【０１１３】
前記前後方向ブラケット１４０は上側壁１１１又は下側壁１１２に取り付けられることができる。前記前後方向ブラケット１４０はケース１１０に対して前後方向に配置される。前記前後方向ブラケット１４０は幅に比べて長さが大きく形成される。
【０１１４】
前記前後方向ブラケット１４０は前記第１ケース１２１及び第２ケース１２２の上側壁１１１を連結するように取り付けられることができる。前記前後方向ブラケット１４０は前記第１ケース１２１及び第２ケース１２２の下側壁１１２を連結するように取り付けられることができる。
【０１１５】
本実施例で、前記前後方向ブラケット１４０は第１ケース１２１及び第２ケース１２２の前後方向に長く延設される。
【０１１６】
前記前後方向ブラケット１４０は、前記第１ケース１２１に固定される第１前後方向固定部１４４と、前記第２ケース１２２に固定される第２前後方向固定部１４５と、前記第１前後方向固定部１４４及び第２前後方向固定部１４５を連結する前後方向連結部１４６とを含む。
【０１１７】
前記第１前後方向固定部１４４は第１ケース１２１の上側壁１１１に固定される。前記第２前後方向固定部１４５は第２ケース１２２の上側壁１１１に固定される。
【０１１８】
前記第１前後方向固定部１４４は少なくとも二つの締結部材を介して固定されることが好ましい。前記第２前後方向固定部１４５は少なくとも二つの締結部材を介して固定されることが好ましい。
【０１１９】
前記前後方向連結部１４６は前記第１前後方向固定部１４４及び第２前後方向固定部１４５より上側に突出するように形成される。前記前後方向連結部１４６は緩やかな曲線形に形成される。本実施例とは違い、前記前後方向連結部１４６は折曲形に形成されることができる。
【０１２０】
前記前後方向連結部１４６の下側に前記ギャップ部材１６０が配置される。
【０１２１】
前記前後方向ブラケット１４０は第１ケース１２１及び第２ケース１２２の前後方向への長さを基準に中間に配置されることが好ましい。
【０１２２】
前記横方向ブラケット１３０がケース１２１、１２２の下側に配置される場合、前記前後方向ブラケット１４０はケース１２１、１２２の上側に配置され、前記横方向ブラケット１３０がケース１２１、１２２の上側に配置される場合、前記前後方向ブラケット１４０はケース１２１、１２２の下側に配置されることが好ましい。
【０１２３】
前記横方向ブラケット１３０及び前後方向ブラケット１４０の位置は第１ケース１２１及び第２ケース１２２を基準に反対側に配置されることが好ましい。
【０１２４】
前記上下方向ブラケット１５０は後面壁１１５に取り付けられるかあるいは前面壁１１６の少なくともいずれか一つに取り付けられることができる。本実施例では後面壁１１５に取り付けられる。前記上下方向ブラケット１５０は前後方向ブラケット１４０とその形態及び構成が同一であるので、詳細な説明を省略する。
【０１２５】
前記上下方向ブラケット１５０は第１ケース１２１及び第２ケース１２２の高さの中間に配置されることが好ましい。前記上下方向ブラケット１５０は高さを基準に前後方向ブラケット１４０及び横方向ブラケット１３０の間に配置されることが好ましい。
【０１２６】
本実施例で、前記上下方向ブラケット１５０は上下分離板１１の後方側に位置する。前記上下方向ブラケット１５０の一部は処理チャンバー１２の後方に位置し、残りはサイクルチャンバー１４の後方に位置する。
【０１２７】
前記上下方向ブラケット１５０はサイクルチャンバー１４で発生する振動を抑制することができる。
【０１２８】
本実施例によるユニオンアセンブリー１２０はケース１２１、１２２の前後、左右、上下方向にそれぞれ取り付けられてケース１２１、１２２を堅固に結合させ、衣類処理装置の作動時に発生する振動を効果的に抑制することができる。
【０１２９】
サイクルチャンバー１４の圧縮機５１、送風ファンモジュール３２又は処理チャンバー１２のムービングハンガー１００が作動するときに振動が発生し得る。
【０１３０】
特に、第１衣類処理ユニット１又は第２衣類処理ユニット２の一方のみ作動するとき、作動しない他方に振動が伝達されて作動騷音を引き起こすことがある。
【０１３１】
前記ユニオンアセンブリー１２０は前後、左右、上下方向にケース１２１、１２２を固定させ、これにより各成分に相当する振動が隣接した衣類処理ユニットに伝達されることを防止することができる。
【０１３２】
また、第１衣類処理ユニット１及び第２衣類処理ユニット２が同時に作動するとき、共振が発生することがあり、前後、左右、上下方向に各衣類処理ユニット１、２が固定されることによって全体剛性を増加させることができる。
【０１３３】
本実施例では横方向ブラケット１３０のみ取付溝に挿入されるものとして説明したが、前記前後方向ブラケット１４０又は上下方向ブラケット１５０も取付溝に挿入されて取り付けられることができる。
【０１３４】
また、本実施例では横方向ブラケット１３０のみブラケットカバー１７０によって隠匿されるものとして説明したが、前記前後方向ブラケット１４０又は上下方向ブラケット１５０もブラケットカバー（図示せず）によって外部から隠匿されることができる。
【０１３５】
図１３は図５に示した上側ドアヒンジが分解された状態を示した分解斜視図、図１４は図５に示した下側ドアヒンジが分解された状態を示した分解斜視図である。
【０１３６】
同図を参照すると、前記第１ケース１２１及び第２ケース１２２の前面壁１１６の一部は上側装飾フレーム１１７及び下側装飾フレーム１１８を含む。
【０１３７】
前記第１ケース１２１に配置された装飾フレームのうち、上側に配置されたものを第１上側装飾フレームと定義し、下側に配置されたものを第１下側装飾フレームと定義する。
【０１３８】
前記第２ケース１２２に配置された装飾フレームのうち、上側に配置されたものを第２上側装飾フレームと定義し、下側に配置されたものを第２下側装飾フレームと定義する。
【０１３９】
前記第１下側装飾フレーム及び第２下側装飾フレームは構造的に同一である。
【０１４０】
前記上側装飾フレーム１１７には、ドア２０の上側ドアヒンジ２１が挿入されるヒンジ取付溝１３６が形成される。下側装飾フレーム１１８には、ドア２０の下側ドアヒンジ２２が挿入されるヒンジ取付溝１３７及び横方向取付溝１３２が形成される。
【０１４１】
前記ヒンジ取付溝１３７及び横方向取付溝１３２はその形状が同一であり、垂直方向を基準に左右に対称状に形成される。
【０１４２】
前記ドア２０の開放方向が反対に変更される場合、前記ヒンジ取付溝１３７に横方向ブラケット１３０を取り付け、前記横方向取付溝１３２に下側ドアヒンジ２２を取り付けることができる。
【０１４３】
前記横方向取付溝及びヒンジ取付溝は機能的な名称である。前記横方向取付溝に取り付けられる構造物が下側ドアヒンジ２２の場合はヒンジ取付溝として使われ、横方向ブラケット１３０の場合は横方向取付溝１３２として使われる。前記横方向取付溝及びヒンジ取付溝は構造的に同一であり、対称状に配置される。
【０１４４】
使用者のニーズに応じて前記ドア２０の開放方向は変更可能である。ドア２０の開放方向を変更する場合、上側ドアヒンジ２１に対応する上側装飾フレーム１１７に取り替えなければならない。上側ドアヒンジ２１は左側又は右側にだけ取り付けられるからである。
【０１４５】
前記ドア２０の後面上側には、前記上側ドアヒンジ２１と締結される上側ドア装飾部２５が配置される。前記ドア２０の後面下側には、前記下側ドアヒンジ２２と締結される下側ドア装飾部２６が配置される。
【０１４６】
以上では本発明の好適な実施例について図示して説明したが、本発明は上述した特定の実施例に限定されず、特許請求範囲で請求する本発明の要旨を逸脱することなしに本発明が属する技術分野で通常の知識を有する者によって多様な変形実施が可能であることは言うまでもなく、このような変形実施は本発明の技術的思想又は見込みから外れたものと理解されてはいけないであろう。
【符号の説明】
【０１４７】
１１０    ケース
１１    上下分離板
１２    処理チャンバー
１３    前後分離板
１４    サイクルチャンバー
２０    ドア
３０    送風ユニット
３９    インレット温度センサー
４０    スチームユニット
５０    ヒートポンプユニット
７０    タンクモジュール
８０    給水タンク
９０    ドレインタンク
１００    ムービングハンガー
１２０    ユニオンアセンブリー
１２１    第１ケース
１２２    第２ケース
１３０    横方向ブラケット
１４０    前後方向ブラケット
１５０    上下方向ブラケット
１６０    ギャップ部材
１７０    ブラケットカバー
【図１】
2019520147.tif 000003
【図２】
2019520147.tif 000004
【図３】
2019520147.tif 000005
【図４】
2019520147.tif 000006
【図５】
2019520147.tif 000007
【図６】
2019520147.tif 000008
【図７】
2019520147.tif 000009
【図８】
2019520147.tif 000010
【図９】
2019520147.tif 000011
【図１０】
2019520147.tif 000012
【図１１】
2019520147.tif 000013
【図１２】
2019520147.tif 000014
【図１３】
2019520147.tif 000015
【図１４】
2019520147.tif 000016
【国際調査報告】
2019520147.tif 000017
2019520147.tif 000018
2019520147.tif 000019
2019520147.tif 000020